(57)【要約】【課題】障害の発生箇所を容易に切り分けることができる光メディアコンバータ装置。【解決手段】光メディアコンバータ装置１は、光通信回線２を介して他の光メディアコンバータ装置３と通信を行う光メディアコンバータ装置であって、主信号経路を切り替えてデータ経路を生成する信号切替部４と、機器とデータの送受信を行う機器側インタフェース部５と、試験制御信号を送信する試験制御信号送信部６および試験制御応答を送信する試験制御応答送信部７と、試験データを送信する複数の送信部８と、受信した試験データの内容と送信した試験データの内容とを照合する複数の照合部９と、複数の照合部９における照合結果を基に試験結果を出力する出力部１０とを備え、試験制御応答送信部７は試験制御信号を受信すると試験制御応答を送信し、複数の送信部８は試験制御信号または試験制御応答を受信するとデータ経路に試験データを送信する。【選択図】図１２
2010252113.tif 000002
【特許請求の範囲】
【請求項１】
光通信回線を介して他の光メディアコンバータ装置と通信を行う光メディアコンバータ装置であって、
主信号経路を切り替えて試験データを流すデータ経路を生成する信号切替部と、
機器とデータの送受信を行う機器側インタフェース部と、
試験制御信号を送信する試験制御信号送信部および試験制御応答を送信する試験制御応答送信部と、
試験データを送信する複数の送信部と、
受信した前記試験データの内容と送信した前記試験データの内容とを照合する複数の照合部と、
試験結果を出力する出力部とを備え、
前記機器側インタフェース部は、前記機器側インタフェース部の内部に設けられた主信号経路を切り替えて試験データを流すデータ経路を生成し、
前記試験制御応答送信部は、前記他の光メディアコンバータ装置の試験制御信号送信部から送信された試験制御信号を受信すると試験制御応答を送信し、
前記複数の送信部は、前記試験制御信号または前記試験制御応答を受信すると、前記信号切替部および前記機器側インタフェース部に生成されたデータ経路に試験データを送信し、
前記出力部は、前記複数の照合部における照合結果と、前記他の光メディアコンバータ装置の複数の照合部における照合結果とを基に試験結果を出力する
ことを特徴とする光メディアコンバータ装置。
【請求項２】
信号切替部および機器側インタフェース部に生成されたデータ経路を保持する時間、および試験データを送信する時間を計時するタイマを含み、
前記タイマの計時時間が満了した場合には出力部は試験結果を出力する
請求項１に記載の光メディアコンバータ装置。
【請求項３】
出力部は、複数の照合部における照合結果と、タイマの起動または計時時間の満了の有無とを出力する
請求項２に記載の光メディアコンバータ装置。
【請求項４】
試験制御信号および試験制御応答は、ＭＡＣフレームとは異なるフレーム長を有する
請求項１から請求項３のうちいずれか１項に記載の光メディアコンバータ装置。
【請求項５】
試験制御信号は、１つ以上のデータ経路を特定する情報を含み、
信号切替部および機器側インタフェース部は、前記試験制御信号を受信してからデータ経路を生成する場合には、前記データ経路を特定する情報に応じてデータ経路を生成する
請求項１から請求項４のうちのいずれか１項に記載の光メディアコンバータ装置。
【請求項６】
光通信回線を介して他の光メディアコンバータ装置と通信を行う光メディアコンバータ装置であって、
主信号経路を切り替えて試験データを流すデータ経路を生成する信号切替部と、
試験制御信号を送信する試験制御信号送信部および試験制御応答を送信する試験制御応答送信部と、
試験データを送信する送信部と、
受信した前記試験データの内容と送信した前記試験データの内容とを照合する照合部と、
試験結果を出力する出力部とを備え、
試験制御応答送信部は、前記他の光メディアコンバータ装置の試験制御信号送信部から送信された試験制御信号を受信すると試験制御応答を送信し、
前記送信部は、前記試験制御信号または前記試験制御応答を受信すると前記信号切替部に生成されたデータ経路に試験データを送信し、
前記出力部は、前記照合部における照合結果と、前記他の光メディアコンバータ装置の照合部における照合結果とを基に試験結果を出力する
ことを特徴とする光メディアコンバータ装置。
【請求項７】
信号切替部は、主信号経路で片方向に主信号が通過できる状態を維持しながら、主信号経路を切り替えて試験データを流すデータ経路を生成する
請求項６に記載の光メディアコンバータ装置。
【請求項８】
信号切替部に生成されたデータ経路を保持する時間、および試験データを送信する時間を計時するタイマを含み、
前記タイマの計時時間が満了した場合には出力部は試験結果を出力する
請求項６または請求項７に記載の光メディアコンバータ装置。
【請求項９】
出力部は、照合部における照合結果と、タイマの起動または計時時間の満了の有無とを出力する
請求項８に記載の光メディアコンバータ装置。
【請求項１０】
試験制御信号および試験制御応答は、ＭＡＣフレームとは異なるフレーム長を有する
請求項６から請求項９のうちいずれか１項に記載の光メディアコンバータ装置。
【請求項１１】
試験制御信号は、１つ以上のデータ経路を特定する情報を含み、
信号切替部は、前記試験制御信号を受信してからデータ経路を生成する場合には、前記データ経路を特定する情報に応じてデータ経路を生成する
請求項６から請求項１０のうちのいずれか１項に記載の光メディアコンバータ装置。
【請求項１２】
光通信回線を介して他の光メディアコンバータ装置と通信を行う光メディアコンバータ装置における障害切り分け試験方法であって、
主信号経路を切り替えて試験データを流すデータ経路を生成するステップと、
機器とデータの送受信を行う機器側インタフェース部の内部に設けられた主信号経路を切り替えて試験データを流すデータ経路を生成するステップと、
試験制御信号および試験制御応答を送信するステップと、
前記試験制御信号または前記試験制御応答を受信すると、前記生成されたデータ経路に試験データを複数の送信部から送信するステップと、
受信した前記試験データの内容と送信した前記試験データの内容とを複数の照合部で照合するステップと、
前記複数の照合部における照合結果と、前記他の光メディアコンバータ装置の複数の照合部における照合結果とを基に試験結果を出力するステップとを含み、
前記他の光メディアコンバータ装置から送信された試験制御信号を受信すると試験制御応答を送信する
ことを特徴とする障害切り分け試験方法。
【請求項１３】
生成されたデータ経路を保持する時間、および試験データを送信する時間を計時するタイマの計時時間が満了した場合には試験結果を出力する
請求項１２に記載の障害切り分け試験方法。
【請求項１４】
複数の照合部における照合結果と、タイマの起動または計時時間の満了の有無とを出力する
請求項１３に記載の障害切り分け試験方法。
【請求項１５】
試験制御信号および試験制御応答は、ＭＡＣフレームとは異なるフレーム長を有する
請求項１２から請求項１４のうちのいずれか１項に記載の障害切り分け試験方法。
【請求項１６】
試験制御信号は、１つ以上のデータ経路を特定する情報を含み、
前記試験制御信号を受信してからデータ経路を生成する場合には、前記データ経路を特定する情報に応じてデータ経路を生成する
請求項１２から請求項１５のうちのいずれか１項に記載の障害切り分け試験方法。
【発明の詳細な説明】
【技術分野】
【０００１】
本発明は、障害の発生箇所を切り分ける光メディアコンバータ装置および障害切り分け試験方法に関する。
【背景技術】
【０００２】
ＦＴＴＨ（Fiber To The Home ）などにおいて、異なる伝送媒体間の媒体変換を行う光メディアコンバータ装置を介することによって、ＵＴＰ（Unshielded Twist Pair ）ケーブルなどと光ケーブルとを接続することができる。すなわち、光メディアコンバータ装置を用いると、情報の配信を行う側（以後、センタ側と呼ぶ。）のＬＡＮ（Local Area Network）と、情報の配信を受ける側（以後、リモート側と呼ぶ。）のＬＡＮとを光通信回線を介して接続することができる。
【０００３】
光ケーブルの両側に光メディアコンバータ装置が設置されている通信システムにおいて、センタ側で用いる光メディアコンバータ装置をセンタ装置、リモート側で用いる光メディアコンバータ装置をリモート装置と呼ぶ。一般的に、センタ装置と、対向するリモート装置とは、設置場所が異なることが多く、物理的にも離れている（数キロメートル〜数十キロメートル）ことが多い。そこで、光メディアコンバータ装置または光通信回線に障害が発生した場合に、障害切り分け試験を実施して、障害の発生箇所を切り分けることが必要になる。
【０００４】
情報通信技術委員会（ＴＴＣ：The Telecommunication Technology Committee）において制定されている光加入者線インタフェースＴＳ−１０００の回線品質確認方法（特許文献１参照）には、回線路の状態および対向する光メディアコンバータ装置の動作状態を確認するためのループ試験が含まれている。
【０００５】
特許文献２には、メディアコンバータ装置を含む通信システムであって、折り返し試験の信頼性を向上させる通信システムが記載されている。特許文献２に記載された通信システムでは、局舎側メディアコンバータ装置からの折り返し試験開始要求保守信号により、加入者側メディアコンバータ装置が自己診断を開始し、折り返し試験信号とともに自己診断の結果を局舎側メディアコンバータ装置に送信する。折り返し試験の際に自己診断を行うことによって、折り返し試験信号だけでは異常の確認を行うことが難しい加入者側メディアコンバータ装置内の各部を確認することができるので、折り返し試験における故障診断の信頼度を向上させることができる。
【先行技術文献】
【特許文献】
【０００６】
【特許文献１】特開２００４−２２８７７１号公報（段落０００４−０００５）
【特許文献２】特開２００４−１５２１７号公報（段落００２２、段落０１０６、要約書）
【発明の概要】
【発明が解決しようとする課題】
【０００７】
しかし、ＴＳ−１０００の回線品質確認方法におけるループ試験では、センタ装置〜リモート装置間の光通信区間における障害や、リモート装置のＬＡＮ側インタフェース部における障害を検出することはできるが、センタ装置のＬＡＮ側インタフェース部における障害を検出することができない。さらに、障害を検出しても、センタ装置またはリモート装置のどちらに異常があるのか、上り回線または下り回線のどちらに異常があるのかを判別できない。
【０００８】
また、特許文献２に記載されたメディアコンバータ装置も、センタ装置のＬＡＮ側インタフェース部における障害を検出することができず、上り回線または下り回線のどちらに異常があるのかを判別することができない。
【０００９】
そのため、ＦＴＴＨなどで何らかの障害が発生したとして、センタ装置、リモート装置、上り回線または下り回線のどこが、障害が発生している箇所であるか分からない場合には、迅速な障害復旧のためにセンタ装置およびリモート装置の双方を同時に調査するなど、多くの費用を必要とする。
【００１０】
そこで、本発明は、障害の発生箇所を容易に切り分けることができる光メディアコンバータ装置および障害切り分け試験方法を提供することを目的とする。
【課題を解決するための手段】
【００１１】
本発明による光メディアコンバータ装置は、光通信回線を介して他の光メディアコンバータ装置と通信を行う光メディアコンバータ装置であって、主信号経路を切り替えて試験データを流すデータ経路を生成する信号切替部と、機器とデータの送受信を行う機器側インタフェース部と、試験制御信号を送信する試験制御信号送信部および試験制御応答を送信する試験制御応答送信部と、試験データを送信する複数の送信部と、受信した試験データの内容と送信した試験データの内容とを照合する複数の照合部と、試験結果を出力する出力部とを備え、機器側インタフェース部は、機器側インタフェース部の内部に設けられた主信号経路を切り替えて試験データを流すデータ経路を生成し、試験制御応答送信部は、他の光メディアコンバータ装置の試験制御信号送信部から送信された試験制御信号を受信すると試験制御応答を送信し、複数の送信部は、試験制御信号または試験制御応答を受信すると、信号切替部および機器側インタフェース部に生成されたデータ経路に試験データを送信し、出力部は、複数の照合部における照合結果と、他の光メディアコンバータ装置の複数の照合部における照合結果とを基に試験結果を出力することを特徴とする。
【００１２】
本発明による他の態様の光メディアコンバータ装置は、光通信回線を介して他の光メディアコンバータ装置と通信を行う光メディアコンバータ装置であって、主信号経路を切り替えて試験データを流すデータ経路を生成する信号切替部と、試験制御信号を送信する試験制御信号送信部および試験制御応答を送信する試験制御応答送信部と、試験データを送信する送信部と、受信した試験データの内容と送信した試験データの内容とを照合する照合部と、試験結果を出力する出力部とを備え、試験制御応答送信部は、他の光メディアコンバータ装置の試験制御信号送信部から送信された試験制御信号を受信すると試験制御応答を送信し、送信部は、試験制御信号または試験制御応答を受信すると信号切替部に生成されたデータ経路に試験データを送信し、出力部は、照合部における照合結果と、他の光メディアコンバータ装置の照合部における照合結果とを基に試験結果を出力することを特徴とする。
【００１３】
本発明による障害切り分け試験方法は、光通信回線を介して他の光メディアコンバータ装置と通信を行う光メディアコンバータ装置における障害切り分け試験方法であって、主信号経路を切り替えて試験データを流すデータ経路を生成するステップと、機器とデータの送受信を行う機器側インタフェース部の内部に設けられた主信号経路を切り替えて試験データを流すデータ経路を生成するステップと、試験制御信号および試験制御応答を送信するステップと、試験制御信号または試験制御応答を受信すると、生成されたデータ経路に試験データを複数の送信部から送信するステップと、受信した試験データの内容と送信した試験データの内容とを複数の照合部で照合するステップと、複数の照合部における照合結果と、他の光メディアコンバータ装置の複数の照合部における照合結果とを基に試験結果を出力するステップとを含み、他の光メディアコンバータ装置から送信された試験制御信号を受信すると試験制御応答を送信することを特徴とする。
【発明の効果】
【００１４】
本発明によれば、光メディアコンバータ装置が試験データの送信および照合箇所を複数設けることによって、障害の発生箇所を容易に切り分けることができる。
【図面の簡単な説明】
【００１５】
【図１】本発明による光メディアコンバータ装置の一実施形態の構成を示すブロック図である。
【図２】図１に示された２つの光メディアコンバータ装置の間で通信が行われる通信システムの構成を示すブロック図である。
【図３】図２に示された通信システムにおける光メディアコンバータ装置の切り分け試験時の動作を示すシーケンス図である。
【図４】試験データの経路の一例を示す説明図である。
【図５】図２に示された通信システムにおける切り分け試験が異常終了する場合の光メディアコンバータ装置の動作例を示すシーケンス図である。
【図６】図２に示された通信システムにおける切り分け試験が異常終了する場合の光メディアコンバータ装置の他の動作例を示すシーケンス図である。
【図７】試験制御信号および試験制御応答の一例を示す説明図である。
【図８】図７に示す試験制御信号および試験制御応答のフレームフォーマットの一例を示す説明図である。
【図９】本発明による光メディアコンバータ装置を含む通信システムで実施される切り分け試験の第２の実施形態における動作を示すシーケンス図である。
【図１０】第２の実施形態における試験データの経路を示す説明図である。
【図１１】試験データのデータ経路の生成パターン情報を含む試験制御信号の一例を示す説明図である。
【図１２】本発明による光メディアコンバータ装置の主要部を示すブロック図である。
【発明を実施するための形態】
【００１６】
図１は、本発明による光メディアコンバータ装置の一実施形態の構成を示すブロック図である。図１を参照して、本発明による光メディアコンバータ装置の構成を説明する。図１には、センタ装置１００およびリモート装置２００の２つの光メディアコンバータ装置が示されている。
【００１７】
センタ装置１００は、ＬＡＮ側インタフェース部１１０、Ｌ２（Layer ２）スイッチ１２０、ＷＡＮ（Wide Area Network ）側変換部１３０、試験制御部１４１、試験制御信号送信部１４２、試験制御応答検出部１４３、送信部１４４、送信部１４５、照合部１４６、照合部１４７、信号切替部１４８および信号切替部１４９を含む。
【００１８】
ＬＡＮ側インタフェース部１１０は、センタ側とのＬＡＮインタフェースを実現し、センタ側のＬＡＮと主信号によるデータの送受信を行う。ＬＡＮ側インタフェース部１１０は、内部に設けられた２箇所のスイッチの接続（ｃ，ｎ，ｔ）を切り替えて、内部に設けられたデータ経路を制御する。通常、主信号ラインを通過する信号が主信号である場合には、スイッチは接点ｃと接点ｎとが接続された（以下、ｃ−ｎが接続されたという。）状態である。Ｌ２スイッチ１２０は、受信したパケットの宛先に含まれるＭＡＣアドレスからパケットの行き先を判断してパケットデータを転送する。なお、Ｌ２スイッチ１２０は、ＭＡＣフレームとは異なるフレームを受信した場合には、フレームを破棄する。
【００１９】
ＷＡＮ側変換部１３０は、ＷＡＮインタフェースを実現し、光信号と電気信号との相互変換を行う。ＷＡＮ側変換部１３０は、光通信回線５００を介してデータの送受信を行う。データをセンタ装置１００からリモート装置２００に送信する場合には、光通信回線５００における下り回線が使用され、データをリモート装置２００からセンタ装置１００に送信する場合には、光通信回線５００における上り回線が使用される。
【００２０】
試験制御部１４１は、試験開始トリガに応じて、センタ装置１００において切り分け試験に関する各種の動作を制御する。試験制御部１４１は、切り分け試験が終了すると、試験結果を示す表示（試験結果表示）を行う。また、試験制御部１４１は、切り分け試験で使用されるタイマＸ（図示せず）およびタイマＺ（図示せず）を制御する。試験制御信号送信部１４２は、試験制御信号を生成し送信する。試験制御応答検出部１４３は、リモート装置２００から送信された試験制御応答を検出する。なお、試験制御信号および試験制御応答の詳細については、図７および図８を参照して後述する。
【００２１】
送信部１４４，１４５は、試験データを生成し、送信する。照合部１４６，１４７は、センタ装置１００の送信部１４４，１４５またはリモート装置２００の送信部２４４，２４５から送信された試験データを受信すると、受信した試験データの内容と送信した試験データの内容とを照合する。信号切替部１４８，１４９は、試験制御部１４１が送信するループ制御信号に応じてスイッチの接続（ｃ，ｎ，ｔ）を切り替えて、データ経路を変更する。通常、主信号ラインを通過する信号が主信号である場合には、スイッチはｃ−ｎが接続された状態である。信号切替部１４８，１４９がスイッチの接続を切り替えて主信号ラインを含むループ経路を生成すると、ループ経路を通過する信号は、主信号から試験信号に切り替えられる。
【００２２】
リモート装置２００は、ＬＡＮ側インタフェース部２１０、Ｌ２スイッチ２２０、ＷＡＮ側変換部２３０、試験制御部２４１、試験試験制御応答送信部２４２、制御信号検出部２４３、送信部２４４、送信部２４５、照合部２４６、照合部２４７、信号切替部２４８および信号切替部２４９を含む。
【００２３】
ＬＡＮ側インタフェース部２１０は、リモート側とのＬＡＮインタフェースを実現し、リモート側のＬＡＮと主信号によるデータの送受信を行う。ＬＡＮ側インタフェース部１１０は、内部に設けられた２箇所のスイッチの接続（ｃ，ｎ，ｔ）を切り替えて、内部に設けられたデータ経路を制御する。通常、主信号ラインを通過する信号が主信号である場合には、スイッチはｃ−ｎが接続された状態である。Ｌ２スイッチ２２０は、受信したパケットの宛先に含まれるＭＡＣアドレスからパケットの行き先を判断してパケットデータを転送する。なお、Ｌ２スイッチ２２０は、ＭＡＣフレームとは異なるフレームを受信した場合には、フレームを破棄する。
【００２４】
ＷＡＮ側変換部２３０は、ＷＡＮインタフェースを実現し、光信号と電気信号との相互変換を行う。ＷＡＮ側変換部２３０は、光通信回線５００を介してデータの送受信を行う。
【００２５】
試験制御部２４１は、センタ装置１００から送信された試験制御信号に応じて、リモート装置２００において切り分け試験に関する各種の動作を制御する。試験制御部２４１は、切り分け試験を行っている間、試験中であることを示す表示（試験中表示）を行う。また、試験制御部２４１は、切り分け試験で使用されるタイマＹ（図示せず）を制御する。試験制御信号検出部２４３は、センタ装置１００から送信された試験制御信号を検出する。試験制御応答送信部２４２は、試験制御信号検出部２４３が試験制御信号を検出すると、試験制御応答信号を生成し送信する。
【００２６】
送信部２４４，２４５は、試験データを生成し、送信する。照合部２４６，２４７は、センタ装置１００の送信部１４４，１４５またはリモート装置２００の送信部２４４，２４５から送信された試験データを受信すると、受信した試験データの内容と送信した試験データの内容とを照合する。信号切替部２４８，２４９は、試験制御部２４１が送信するループ制御信号に応じてスイッチの接続（ｃ，ｎ，ｔ）を切り替えて、データ経路を変更する。通常、主信号ラインを通過する信号が主信号である場合には、スイッチはｃ−ｎが接続された状態である。信号切替部２４８，２４９がスイッチの接続を切り替えて主信号ラインを含むループ経路を生成すると、ループ経路を通過する信号は、主信号から試験信号切り替えられる。
【００２７】
図２は、図１に示された２つの光メディアコンバータ装置の間で通信が行われる通信システムの構成を示すブロック図である。図２に示すように、センタ装置１００とリモート装置２００とは、光ケーブル（光通信回線）５００を介して通信できるように接続されている。
【００２８】
実施形態１．
図２に示された光メディアコンバータ装置を含む通信システムで実施される切り分け試験の第１の実施形態（実施形態１）を説明する。
【００２９】
図３は、図２に示された通信システムにおける光メディアコンバータ装置の切り分け試験時の動作を示すシーケンス図である。図３には、切り分け試験が正常終了する場合の動作が示されている。図３を参照して、切り分け試験が正常終了する場合の動作を説明する。
【００３０】
切り分け試験が正常終了したか異常終了したかは、切り分け試験における処理が滞りなく終了したか否かによって判定される。具体的には、タイマＸおよびタイマＹが計時する時間が満了時間に到達する前に試験結果が得られた場合に正常終了とみなす。また、切り分け試験が正常終了した場合であっても、個々の照合部で異常と判定された照合結果があったときには、試験結果は異常ある、とみなす。
【００３１】
センタ装置１００の試験制御部１４１は、試験開始トリガを検出すると（ステップＳ１１）、タイマＸを起動する（ステップＳ１２）。タイマＸの満了時間は、切り分け試験の処理が十分に完了すると考えられる時間に設定される。試験開始トリガは、例えば、切り分け試験を実施する管理者が操作する制御端末やスイッチから発信される信号である。
【００３２】
ステップＳ１２においてタイマＸが起動されると、試験制御部１４１は、データ経路に試験データを流す用意を始める。試験制御部１４１は、信号切替部１４８，１４９にループ制御信号を送信する。信号切替部１４８，１４９は、ループ制御信号に応じてそれぞれのスイッチにおいて接点ｃと接点ｔとが接続された（以下、ｃ−ｔが接続されたという。）状態にして、主信号ラインにおける信号切替部１４８，１４９よりもＷＡＮ側変換部１３０の側を通過する信号が、主信号から試験信号に切り替えられた状態にする（ステップＳ１３）。試験制御部１４１は、ＬＡＮ側インタフェース部１１０に、ループ制御信号を送信する。ＬＡＮ側インタフェース部１１０は、ループ制御信号に応じてＬＡＮ側インタフェース部１１０内の２箇所のスイッチをｃ−ｔが接続された状態にする（ステップＳ１４）。信号切替部１４８，１４９およびＬＡＮ側インタフェース部１１０内のスイッチの切り替えによって、センタ装置１００の内部に、ＬＡＮ側インタフェース部１１０を経路に含むループ経路が生成される（ステップＳ１５）。
【００３３】
ステップＳ１４においてＬＡＮ側インタフェース部１１０にループ制御信号を送信すると、試験制御部１４１は、試験制御信号送信部１４２に、試験の開始を要求する第１の試験制御信号（試験開始要求）を生成させる。試験制御信号送信部１４２は、試験制御部１４１の制御に応じて、第１の試験制御信号を生成し送信する（ステップＳ１６）。
【００３４】
試験制御信号送信部１４２から送信された第１の試験制御信号は、ＷＡＮ側変換部１３０で光信号に変換される。光信号に変換された第１の試験制御信号は、光通信回線５００を介してリモート装置２００に送信され、ＷＡＮ側変換部２３０で電気信号に変換される。なお、以後の説明において、センタ装置１００とリモート装置２００との間で通信が行われる場合に、ＷＡＮ側変換部１３０，２３０が変換処理を行っていることの説明を省略する。
【００３５】
試験制御信号検出部２４３は、光通信回線５００を介して、試験制御信号送信部１４２が送信した第１の試験制御信号を検出する。試験制御信号検出部２４３が第１の試験制御信号を検出すると、試験制御部２４１は、試験開始を認知してタイマＹを起動する（ステップＳ１７）。タイマＹの満了時間は、リモート装置２００において第１の試験制御信号を受信してから、試験中表示を解除する（ステップＳ３８）までの処理が十分に完了する時間に設定される。
【００３６】
ステップＳ１７においてタイマＹが起動されると、試験制御部２４１は、試験中表示を行う（ステップＳ１８）。試験制御部２４１は、信号切替部２４８，２４９にループ制御信号を送信する。信号切替部２４８，２４９は、ループ制御信号に応じてそれぞれのスイッチをｃ−ｔが接続された状態にして、主信号ラインにおける信号切替部２４８，２４９よりもＷＡＮ側変換部２３０の側を通過する信号が、主信号から試験信号に切り替えられた状態にする（ステップＳ１９）。試験制御部２４１は、ＬＡＮ側インタフェース部２１０に、ループ制御信号を送信する。ＬＡＮ側インタフェース部２１０は、ループ制御信号に応じてＬＡＮ側インタフェース部２１０内の２箇所のスイッチをｃ−ｔが接続された状態にする（ステップＳ２０）。信号切替部２４８，２４９およびＬＡＮ側インタフェース部２１０内のスイッチの切り替えによって、センタ装置２００の内部に、ＬＡＮ側インタフェース部２１０を経路に含むループ経路が生成される（ステップＳ２１）。
【００３７】
ステップＳ２０においてＬＡＮ側インタフェース部２１０にループ制御信号を送信すると、試験制御部２４１は、試験制御応答送信部２４２に、試験の開始準備が完了したことを示す第１の試験制御応答（試験開始応答）を生成させる。試験制御応答送信部２４２は、試験制御部２４１の制御に応じて、第１の試験制御応答を生成し、センタ装置１００に送信する（ステップＳ２２）。
【００３８】
試験制御応答検出部１４３は、光通信回線５００を介して、試験制御応答送信部２４２が送信した第１の試験制御応答を検出する。試験制御応答検出部１４３が第１の試験制御応答を検出すると、試験制御部１４１は、タイマＺを起動する（ステップＳ２３）。タイマＺの満了時間は、センタ装置１００において第１の試験制御応答を受信してから、センタ装置１００およびリモート装置２００において全ての試験データを照合するまでの処理が十分に完了する時間に設定される。
【００３９】
ステップＳ２３においてタイマＺが起動されると、センタ装置１００の送信部１４４および送信部１４５は、試験データを送信する（ステップＳ２４、Ｓ２５）。送信部１４４から送信された試験データを試験データＡ−１とし、送信部１４５から送信された試験データを試験データＡ−２とする。一方、リモート装置２００の送信部２４４および送信部２４５も、試験データを送信する（ステップＳ２６、Ｓ２７）。送信部２４４から送信された試験データを試験データＢ−１とし、送信部２４５から送信された試験データを試験データＢ−２とする。
【００４０】
図４は、試験データの経路の一例を示す説明図である。図４を参照して、試験データＡ−１,Ａ−２，Ｂ−１およびＢ−２の流れを説明する。ステップＳ２４〜Ｓ２７において試験データが送信されるとき、センタ装置１００、リモート装置２００および光通信回線５００によって、３つのループ経路が生成されている。試験データＡ−１およびＢ−１は、ＷＡＮ側変換部１３０とＷＡＮ側変換部２３０とを含むループ経路に送信される。試験データＡ−２は、ＬＡＮ側インタフェース部１１０を含むループ経路に送信される。試験データＢ−２は、ＬＡＮ側インタフェース部２１０を含むループ経路に送信される。
【００４１】
図４に示されるように、試験データＡ−１は、送信部１４４から送信され、ＷＡＮ側変換部１３０、光通信回線５００における下り回線およびＷＡＮ側変換部２３０を通って照合部２４６で受信される。試験データＢ−１は、送信部２４４から送信され、ＷＡＮ側変換部２３０、光通信回線５００における上り回線およびＷＡＮ側変換部１３０を通って照合部１４６で受信される。試験データＡ−２は、送信部１４５から送信され、Ｌ２スイッチ１２０およびＬＡＮ側インタフェース部１１０を通って照合部１４７で受信される。試験データＢ−２は、送信部２４５から送信され、Ｌ２スイッチ２２０およびＬＡＮ側インタフェース部２１０を通って照合部２４７で受信される。
【００４２】
それぞれの照合部は、受信した試験データの内容と送信した試験データの内容とを照合する（ステップＳ２８〜Ｓ３１）。受信した試験データが送信時とは異なるデータ内容になっていた場合には、途中のデータ経路上に障害が発生していると推測できる。そして、センタ装置１００の照合部１４６および照合部１４７は、正常または異常のどちらかの照合結果を試験制御部１４１に通知する。リモート装置２００の照合部２４６および照合部２４７は、正常または異常のどちらかの照合結果を試験制御部２４１に通知する。図３には、照合部１４６，１４７，２４６，２４７において試験データが受信され、各照合部において照合が行われる例が示されている。
【００４３】
試験制御部１４１は、タイマＺが計時する時間が満了すると（ステップＳ３２）、試験制御信号送信部１４２に、リモート装置２００における試験結果の通知を要求する第２の試験制御信号（試験結果要求）を生成させる。試験制御信号送信部１４２は、試験制御部１４１の制御に応じて、第２の試験制御信号を生成し送信する（ステップＳ３３）。
【００４４】
試験制御信号検出部２４３は、光通信回線５００を介して、試験制御信号送信部１４２が送信した第２の試験制御信号を検出する。試験制御信号検出部２４３が第２の試験制御信号を検出すると、試験制御部２４１は、ＬＡＮ側インタフェース部２１０に、ループ制御信号を送信する。ＬＡＮ側インタフェース部２１０は、ループ制御信号に応じてＬＡＮ側インタフェース部２１０内の２箇所のスイッチをｃ−ｎが接続された状態にする（ステップＳ３４）。ステップＳ３４において、スイッチにおけるｃ−ｎが接続されると、ループ経路が解除される（ステップＳ３５）。試験制御部２４１は、信号切替部２４８，２４９にループ制御信号を送信する。信号切替部２４８，２４９は、ループ制御信号に応じて、それぞれのスイッチをｃ−ｎが接続された状態にして、ステップＳ１９において切り替えられた主信号ラインを主信号を流す状態に戻す（ステップＳ３６）。
【００４５】
試験制御部２４１は、試験制御応答送信部２４２に、リモート装置２００における試験結果を通知する第２の試験制御応答（試験結果応答）を生成させる。試験制御応答送信部２４２は、試験制御部２４１の制御に応じて第２の試験制御応答を生成し、センタ装置１００に送信する（ステップＳ３７）。第２の試験制御応答が送信されると、試験制御部２４１は、試験中表示を解除し（ステップＳ３８）、タイマＹを停止する（ステップＳ３９）。
【００４６】
試験制御応答検出部１４３は、光通信回線５００を介して、試験制御応答送信部２４２が送信した第２の試験制御応答を検出する。試験制御応答検出部１４３が第２の試験制御応答を検出すると、試験制御部１４１は、ＬＡＮ側インタフェース部１１０に、ループ制御信号を送信する。ＬＡＮ側インタフェース部１１０は、ループ制御信号に応じてＬＡＮ側インタフェース部１１０内の２箇所のスイッチをｃ−ｎが接続された状態にする（ステップＳ４０）。ステップＳ４０において、スイッチにおけるｃ−ｎが接続されると、ループ経路が解除される（ステップＳ４１）。試験制御部１４１は、信号切替部１４８，１４９にループ制御信号を送信する。信号切替部１４８，１４９は、ループ制御信号に応じて、それぞれのスイッチをｃ−ｎが接続された状態にして、ステップＳ１３において切り替えられた主信号ラインを主信号を流す状態に戻す（ステップＳ４２）。
【００４７】
試験制御部１４１は、タイマＸを停止する（ステップＳ４３）。そして、試験制御部１４１は、センタ装置１００における試験結果とリモート装置２００における試験結果とを取得する。試験制御部１４１は、取得した試験結果をまとめて出力する（ステップＳ４４）。図３に示された切り分け試験の動作による試験結果には、例えば、照合部１４６，１４７，２４６，２４７における照合結果が含まれる。なお、試験結果には、タイマＸ，Ｙ，Ｚの起動および満了の有無も含まれてもよい。試験結果は、例えば、管理者が操作する制御端末のモニタなどに表示されてもよい。切り分け試験が正常終了し、かつ各照合部における照合結果が正常であった場合には、障害は発生していないことを意味する。
【００４８】
各照合部から通知される照合結果は、それぞれの照合部が受信した試験信号の送信元から照合部までのデータ経路に障害が発生しているか否かを示す。例えば、図２に示された通信システムにおける切り分け試験において、照合部１４６から通知される照合結果は、送信部２４４からＷＡＮ側変換部２３０、光通信回線５００における上り回線およびＷＡＮ側変換部１３０を経由して照合部１４６に至るまでのデータ経路に障害が発生しているか否かを示す。照合部１４７から通知される照合結果は、送信部１４５からＬ２スイッチ１２０およびＬＡＮ側インタフェース部１１０を経由して照合部１４７に至るまでのデータ経路に障害が発生しているか否かを示す。照合部２４６から通知される照合結果は、送信部１４４からＷＡＮ側変換部１３０、光通信回線５００における下り回線およびＷＡＮ側変換部２３０を経由して照合部２４６に至るまでのデータ経路に障害が発生しているか否かを示す。照合部２４７から通知される照合結果は、送信部２４５からＬ２スイッチ２２０およびＬＡＮ側インタフェース部２１０を経由して照合部２４７に至るまでのデータ経路に障害が発生しているか否かを示す。
【００４９】
各照合部からの照合結果を組み合わせることによって、障害の発生箇所を推定することができる。例えば、照合部１４６、照合部１４７および照合部２４６における照合結果が正常を示し、照合部２４７における照合結果が異常を示す場合には、センタ装置１００および光通信回線５００の上下回線は正常であるが、リモート装置２００に異常が発生していることが推定できる。また、例えば、照合部１４６、照合部１４７および照合部２４７における照合結果が正常を示し、照合部２４６における照合結果が異常を示す場合には、センタ側装置１００、リモート装置２００および光通信回線５００における上り回線は正常であるが、光通信回線５００における下り回線に異常が発生していることが推定できる。
【００５０】
すなわち、図２に示された通信システムでは、切り分け試験が正常終了した場合には、複数のループ経路で実施された試験データの照合結果をまとめることによって、障害の発生箇所をセンタ装置１００、光通信回線５００における上り回線または下り回線、またはリモート装置２００に切り分けることができる。
【００５１】
図５は、図２に示された通信システムにおける切り分け試験が異常終了する場合の光メディアコンバータ装置の動作例を示すシーケンス図である。図５には、リモート装置２００が第１の試験制御信号を認識できずに、切り分け試験が異常終了する場合の例が示されている。図５を参照して、切り分け試験が異常終了する場合の動作の一例を説明する。
【００５２】
センタ装置１００の試験制御部１４１が、試験開始トリガを検出してから、試験制御信号送信部１４２が、第１の試験制御信号（試験開始要求）を生成し送信するまでの処理（ステップＳ５１〜Ｓ５６）は、図３におけるステップＳ１１〜Ｓ１６に示された処理と同じである。
【００５３】
図５に示す例では、リモート装置２００は第１の試験制御信号を認識できないので、ステップＳ５６において試験制御信号送信部１４２から送信された第１の試験制御信号は、リモート装置２００の試験制御信号検出部２４３に検出されない。試験制御信号検出部２４３が第１の試験制御信号を検出しないので、試験制御応答送信部２４２が第１の試験制御応答（試験開始応答）を送信する処理（図３のステップＳ２２に示された処理）が発生せず、センタ装置１００の試験制御応答検出部１４３が第１の試験制御応答を検出して試験制御部１４１がタイマＺを起動する処理（図３のステップＳ２３に示された処理）も、各送信部が試験データを送信する処理（図３のステップＳ２４〜Ｓ２７に示された処理）も発生しない。
【００５４】
センタ装置１００でタイマＸが計時する時間が満了すると（ステップＳ５７）、試験制御部１４１は、ＬＡＮ側インタフェース部１１０に、ループ制御信号を送信する。ＬＡＮ側インタフェース部１１０は、ループ制御信号に応じてＬＡＮ側インタフェース部１１０内の２箇所のスイッチをｃ−ｎが接続された状態にする（ステップＳ５８）。ステップＳ５８において、スイッチにおけるｃ−ｎが接続されると、ループ経路が解除される（ステップＳ５９）。試験制御部１４１は、信号切替部１４８，１４９にループ制御信号を送信する。信号切替部１４８，１４９は、ループ制御信号に応じて、それぞれのスイッチをｃ−ｎが接続された状態にして、ステップＳ５３において切り替えた主信号ラインを主信号を流す状態に戻す（ステップＳ６０）。そして、試験制御部１４１は、試験結果を出力する（ステップＳ６１）。試験データの送信がセンタ装置１００およびリモート装置２００で行われていないので、この例での試験結果には、照合部１４６，１４７，２４６，２４７において判定が行われていないこと、および、タイマＸが起動されて計時時間が満了したことを示す情報が含まれている。なお、照合が行われていない場合には、照合結果を異常にして示してもよい。
【００５５】
切り分け試験が異常終了した場合には、切り分け試験が正常終了した場合に比べて広い範囲で障害の発生場所を絞り込むことができる。また、各タイマの実行状況を併せて考えることによって、障害の発生箇所をさらに狭い範囲で推定できる場合もある。図５に示された切り分け試験の動作による試験結果から、第１の試験制御信号を送信したにもかかわらず第１の試験制御応答を受信でなかったことが分かるので、センタ装置１００のＬＡＮ側インタフェース部１１０以外で障害が発生していると推定できる。
【００５６】
図６は、図２に示された通信システムにおける切り分け試験が異常終了する場合の光メディアコンバータ装置の他の動作例を示すシーケンス図である。図６には、センタ装置１００が第１の試験制御応答を認識できずに、切り分け試験が異常終了する場合の例が示されている。図６を参照して、切り分け試験が異常終了する場合の動作の他の一例を説明する。
【００５７】
センタ装置１００の試験制御部１４１が、試験開始トリガを検出してから、試験制御応答送信部２４２が、第１の試験制御応答（試験開始応答）を生成し送信するまでの処理（ステップＳ７１〜Ｓ８２）は、図３のステップＳ１１〜Ｓ２２に示された処理と同じである。
【００５８】
図６に示す例では、センタ装置１００は第１の試験制御応答を認識できないので、ステップＳ８２において試験制御応答送信部２４２から送信された第１の試験制御応答は、センタ装置１００の試験制御応答検出部１４３に検出されない。試験制御応答検出部１４３が第１の試験制御応答を検出しないので、試験制御応答検出部１４３がタイマＸを起動する処理（図３のステップＳ２３に示された処理）が発生せず、センタ装置１００の送信部１４４，１４５が試験データを送信する処理（図３のステップＳ２４，Ｓ２５に示された処理）も発生しない。
【００５９】
リモート装置２００の送信部２４４および送信部２４５においては、試験データが送信される（ステップＳ８３、Ｓ８４）。送信部２４４から送信された試験データを試験データＢ−１とし、送信部２４５から送信された試験データを試験データＢ−２とする。
【００６０】
送信部２４４から送信された試験データＢ−１は、ＷＡＮ側変換部１３０とＷＡＮ側変換部２３０とを含むループ経路に送信されるが、センタ装置１００側では試験データの送信が行われていないために、照合部１４６，１４７において試験データが照合されることはない。
【００６１】
送信部２４５から送信された試験データＢ−２は、ＬＡＮ側インタフェース部２１０を含むループ経路に送信され、Ｌ２スイッチ２２０およびＬＡＮ側インタフェース部２１０を通って照合部２４７に受信される。照合部２４７は、受信した試験データＢ−２を照合し（ステップＳ８５）、照合結果を試験制御部２４１に通知する。
【００６２】
また、照合部２４６は、センタ装置１００の送信部１４４から送信されるはずの試験データの受信を待つが、センタ装置１００では試験データの送信が行われていないために、照合部２４６において試験データが照合されることはない。すなわち、試験制御部２４１には照合部２４７における照合結果だけが通知され、リモート装置２００における試験結果は、照合部２４６において必ず異常になる。
【００６３】
リモート装置２００でタイマＹが計時する時間が満了すると（ステップＳ８６）、試験制御部２４１は、ＬＡＮ側インタフェース部２１０に、ループ制御信号を送信する。ＬＡＮ側インタフェース部２１０は、ループ制御信号に応じてＬＡＮ側インタフェース部２１０内の２箇所のスイッチをｃ−ｎが接続された状態にする（ステップＳ８７）。ステップＳ８７において、スイッチにおけるｃ−ｎが接続されると、ループ経路が解除される（ステップＳ８８）。試験制御部２４１は、信号切替部２４８，２４９にループ制御信号を送信する。信号切替部２４８，２４９は、ループ制御信号に応じて、それぞれのスイッチをｃ−ｎが接続された状態にして、ステップＳ７９において切り替えられた主信号ラインを主信号を流す状態に戻す（ステップＳ８９）。
【００６４】
試験制御部２４１は、試験制御応答送信部２４２に、リモート装置２００における照合結果、および、リモート装置２００における試験がタイマＹの計時時間が満了したことによって終了したことを通知する第３の試験制御応答（試験終了表示）を生成させる。試験制御応答送信部２４２は、試験制御部２４１の制御に応じて第３の試験制御応答を生成し、センタ装置１００に送信する（ステップＳ９０）。第３の試験制御応答が送信されると、試験制御部２４１は、試験中表示を解除する（ステップＳ９１）。
【００６５】
試験制御応答検出部１４３は、光通信回線５００を介して、試験制御応答送信部２４２が送信した第３の試験制御応答を検出する。試験制御応答検出部１４３が第３の試験制御応答を検出すると、試験制御部１４１は、ＬＡＮ側インタフェース部１１０に、ループ制御信号を送信する。ＬＡＮ側インタフェース部１１０は、ループ制御信号に応じてＬＡＮ側インタフェース部１１０内の２箇所のスイッチをｃ−ｎが接続された状態にする（ステップＳ９２）。ステップＳ９２において、スイッチにおけるｃ−ｎが接続されると、ループ経路が解除される（ステップＳ９３）。試験制御部１４１は、信号切替部１４８，１４９にループ制御信号を送信する。信号切替部１４８，１４９は、ループ制御信号に応じて、それぞれのスイッチをｃ−ｎが接続された状態にして、ステップＳ７３において切り替えられた主信号ラインを主信号を流す状態に戻す（ステップＳ９４）。
【００６６】
試験制御部１４１は、タイマＸを停止する（ステップＳ９５）。そして、試験制御部１４１は、センタ装置１００における試験結果とリモート装置２００における試験結果とを取得する。実際には、センタ装置１００では試験データの送信および照合が行われていないので、センタ装置１００における正常な試験結果は取得されない。そして、試験制御部１４１は、試験結果を出力する（ステップＳ９６）。試験データの送信がセンタ装置１００では行われていないので、この例での試験結果には、照合部１４６，１４７において照合が行われていないこと、照合部２４６において異常であったこと、照合部２４７において正常であったこと、および、タイマＹが起動されて計時時間が満了したことを示す情報が含まれている。
【００６７】
この例のように切り分け試験が異常終了した場合には、図５に示された例の場合と同じように、切り分け試験が正常終了した場合に比べて広い範囲で障害の発生場所を絞り込むことができる。図６に示された切り分け試験の動作による試験結果から、第１の試験制御応答が送信されたにもかかわらず受信できなかったことと、リモート装置２００のＬＡＮ側インタフェース部２１０を含むループ経路では正常にデータ試験の照合が行われたことが分かるので、光通信回線５００における下り回線およびリモート装置２００のＬＡＮ側インタフェース部１１０以外で障害が発生していると推定できる。
【００６８】
次に、試験制御信号および試験制御応答について詳しく説明する。図７は、試験制御信号および試験制御応答の一例を示す説明図である。図８は、図７に示す試験制御信号および試験制御応答のフレームフォーマットの一例を示す説明図である。
【００６９】
試験制御信号は、センタ装置１００がリモート装置２００に送信する信号である。試験制御応答は、リモート装置２００がセンタ装置１００に送信する信号である。リモート装置２００における試験結果を通知する試験制御応答は、タイマＹの計時時間が満了して試験が終了したか否かによって、異なる試験制御応答が選択される。なお、図７に示された信号以外の試験制御信号または試験制御応答があってもよい（例えば、図９に示す例における第２の実施形態における第３の試験制御信号）。
【００７０】
試験制御信号および試験制御応答は、通常のＭＡＣフレームとは異なるフレームで形成される。例えば、図８に示されたように、試験制御信号および試験制御応答のフレーム長を６４ｂｙｔｅ未満とする。通常のＭＡＣフレームのフレーム長は６４ｂｙｔｅ以上であるので、Ｌ２スイッチ１２０，２２０は、試験制御信号および試験制御応答を受信した場合には、フレーム異常として破棄する。その結果、試験制御信号および試験制御応答はＬＡＮ側インタフェース部１１０，２１０に伝達されない。すなわち、試験制御信号および試験制御応答を破棄するための特別な処理を追加しなくても、ＬＡＮ側インタフェース部１１０，２１０に接続される他の機器に、試験制御信号および試験制御応答が影響を与えずにすむ。
【００７１】
実施形態２． 
図９は、本発明による光メディアコンバータ装置を含む通信システムで実施される切り分け試験の第２の実施形態（実施形態２）における動作を示すシーケンス図である。第２の実施形態の切り分け試験では、ＬＡＮ側インタフェース部１１０を含むループ経路とＬＡＮ側インタフェース部２１０を含むループ経路とが生成されない。また、センタ装置１００の試験制御信号送信部１４２から第１の試験制御信号の代わりに第３の試験制御信号が送信される。図９を参照して、第２の実施形態の切り分け試験における動作を説明する。なお、第２の実施形態の通信システムの構成は、図２に示された構成と同じである。
【００７２】
センタ装置１００の試験制御部１４１は、試験開始トリガを検出すると（ステップＳ１０１）、タイマＸを起動する（ステップＳ１０２）。
【００７３】
ステップＳ１０２においてタイマＸが起動されると、試験制御部１４１は、データ経路に試験データを流す用意を始める。試験制御部１４１は、信号切替部１４８，１４９にループ制御信号を送信する。信号切替部１４８は、ループ制御信号に応じてスイッチをｃ−ｔが接続された状態にし、信号切替部１４９は、スイッチをｃ−ｎが接続された状態に維持する（ステップＳ１０３）。信号切替部１４８，１４９のスイッチの切り替えによって、センタ装置１００からリモート装置２００の方向に主信号が流れなくなる。試験制御部１４１は、ＬＡＮ側インタフェース部１１０に、ループ制御信号を送信する。ＬＡＮ側インタフェース部１１０は、ループ制御信号に応じてＬＡＮ側インタフェース部１１０内の２箇所のスイッチをｃ−ｎが接続された状態に維持する（ステップＳ１０４）。ステップＳ１０３およびＳ１０４における処理によって、ループ経路のセンタ装置１００側の生成が完了する（ステップＳ１０５）。
【００７４】
ステップＳ１４においてループ制御信号を送信すると、試験制御部１４１は、試験制御信号送信部１４２に、試験の開始を要求する第３の試験制御信号（試験開始要求）を生成させる。試験制御信号送信部１４２は、試験制御部１４１の制御に応じて、第３の試験制御信号を生成し送信する（ステップＳ１０６）。第３の試験制御信号には、送信部１４４から照合部２４６までのデータ経路を生成するという情報が組み込まれている。
【００７５】
試験制御信号検出部２４３は、光通信回線５００を介して、試験制御信号送信部１４２が送信した第３の試験制御信号を検出する。試験制御信号検出部２４３が第３の試験制御信号を検出すると、試験制御部２４１は、試験開始を認知してタイマＹを起動する（ステップＳ１０７）。
【００７６】
ステップＳ１０７においてタイマＹが起動されると、試験制御部２４１は、試験中表示を行う（ステップＳ１０８）。試験制御部２４１は、信号切替部２４８，２４９にループ制御信号を送信する。信号切替部２４８は、ループ制御信号に応じてスイッチをｃ−ｎが接続された状態に維持し、信号切替部２４９は、スイッチをｃ−ｔが接続された状態にして、主信号を流していた主信号ラインを試験データを流す状態に切り替える（ステップＳ１０９）。ステップＳ１０９における処理によって、ループ経路のリモート装置２００側の生成が完了する。
【００７７】
ステップＳ１０９においてデータ経路が切り替えられると、試験制御部２４１は、試験制御応答送信部２４２に、試験の開始準備が完了したことを示す第１の試験制御応答（試験開始応答）を生成させる。試験制御応答送信部２４２は、試験制御部２４１の制御に応じて、第１の試験制御応答を生成し、センタ装置１００に送信する（ステップＳ１１０）。
【００７８】
試験制御応答検出部１４３は、光通信回線５００を介して、試験制御応答送信部２４２が送信した第１の試験制御応答を検出する。試験制御応答検出部１４３が第１の試験制御応答を検出すると、試験制御部１４１は、タイマＺを起動する（ステップＳ１１１）。
【００７９】
ステップＳ１１１においてタイマＺが起動されると、センタ装置１００の送信部１４４は、試験データＡ−１を送信する（ステップＳ１１２）。
【００８０】
図１０は、第２の実施形態における試験データの経路を示す説明図である。図１０を参照して、送信部１４４から送信された試験データＡ−１の流れを説明する。ステップＳ１１２において試験データが送信されるとき、センタ装置１００、リモート装置２００および光通信回線５００によって、１つのループ経路が生成されている。図１０に示されるように、送信部１４４から送信された試験データＡ−１は、ＷＡＮ側変換部１３０、光通信回線５００における下り回線およびＷＡＮ側変換部２３０を通って照合部２４６に受信される。
【００８１】
照合部２４６は、受信した試験データＡ−１の内容と送信した試験データの内容とを照合する（ステップＳ１１３）。そして、リモート装置２００の照合部２４６は、照合結果を試験制御部２４１に通知する。
【００８２】
試験制御部１４１は、タイマＺが計時する時間が満了すると（ステップＳ１１４）、試験制御信号送信部１４２に、リモート装置２００における試験結果の通知を要求する第２の試験制御信号（試験結果要求）を生成させる。試験制御信号送信部１４２は、試験制御部１４１の制御に応じて、第２の試験制御信号を生成し送信する（ステップＳ１１５）。
【００８３】
試験制御信号検出部２４３は、光通信回線５００を介して、試験制御信号送信部１４２が送信した第２の試験制御信号を検出する。試験制御信号検出部２４３が第２の試験制御信号を検出すると、試験制御部２４１は、信号切替部２４８，２４９にループ制御信号を送信する。信号切替部２４８は、ループ制御信号に応じてスイッチをｃ−ｎが接続された状態に維持し、信号切替部２４９は、スイッチをｃ−ｎが接続された状態にする（ステップＳ１１６）。ステップＳ１１６における処理によって、リモート装置２００側のループ経路が解除される。
【００８４】
試験制御部２４１は、試験制御応答送信部２４２に、リモート装置２００における試験結果を通知する第２の試験制御応答（試験結果応答）を生成させる。試験制御応答送信部２４２は、試験制御部２４１の制御に応じて第２の試験制御応答を生成し、センタ装置１００に送信する（ステップＳ１１７）。第２の試験制御応答が送信されると、試験制御部２４１は、試験中表示を解除し（ステップＳ１１８）、タイマＹを停止する（ステップＳ１１９）。
【００８５】
試験制御応答検出部１４３は、光通信回線５００を介して、試験制御応答送信部２４２が送信した第２の試験制御応答を検出する。試験制御応答検出部１４３が第２の試験制御応答を検出すると、試験制御部１４１は、信号切替部１４８，１４９にループ制御信号を送信する。信号切替部１４８は、ループ制御信号に応じてスイッチをｃ−ｎが接続された状態にし、信号切替部１４９は、スイッチをｃ−ｎが接続された状態に維持する。（ステップＳ１２０）。ステップＳ１２０における処理によって、センタ装置１００側のループ経路が解除される。
【００８６】
試験制御部１４１は、タイマＸを停止する（ステップＳ１２１）。そして、試験制御部１４１は、リモート装置２００における試験結果を取得し、取得した試験結果を出力する（ステップＳ１２２）。第２の実施形態における試験結果には、例えば、照合部２４６における照合結果や、タイマＸ，Ｙ，Ｚの起動および計時時間の満了の有無を示す情報が含まれる。
【００８７】
このような光メディアコンバータ装置では、試験データがセンタ装置１００からリモート装置２００の方向にだけ送信されるので、照合部２４６で異常となった場合には、センタ装置１００から光通信回線５００における下り回線を経由してリモート装置２００に至るまでの間に障害が発生していることが推定できる。また、第２の実施形態の通信システムでは、リモート装置２００からセンタ装置１００の方向の主信号のデータ経路は変更されないので、リモート装置２００からセンタ装置１００への主信号の送信を止めることなく試験を実施することができる。さらに、ＬＡＮ側インタフェース部がループ経路を生成する機能を備えていない場合にも試験を実施することもできる。
【００８８】
なお、試験データのデータ経路の生成パターンを複数種類用意しておくと、第２の実施形態におけるセンタ装置１００からリモート装置２００のデータ経路における試験データの送信以外にも、様々なデータ経路における試験データの送信が可能になる。例えば、リモート装置２００からセンタ装置１００方向、ＬＡＮ側インタフェース部１１０を含むセンタ装置１００内、または、ＬＡＮ側インタフェース部２１０を含むリモート装置２００内、といったデータ経路が考えられる。
【００８９】
選択する試験データのデータ経路の生成パターンを示す情報は、試験制御信号および試験制御応答に組み込まれる。図１１は、試験データのデータ経路の生成パターン情報を含む試験制御信号の一例を示す説明図である。図１１に示す試験制御信号は、ＴＳ−１０００に準拠した保守信号である。図１１（ａ）に示されたように、フレーム長は１２ｂｙｔｅで１６ｂｙｔｅ未満なので、Ｌ２スイッチ１２０，２２０が受信した試験制御信号は破棄される。
【００９０】
図１１（ｂ）のフォーマット内容詳細図の信号位置Ｃ１２−Ｃ１５に、試験データのデータ経路の生成パターン情報が示されている。Ｃ１２−Ｃ１５の４ビットをどのように設定するかによって、試験データのデータ経路の生成パターンを決定することができる。例えば、ステップＳ１０６において送信された第３の試験制御信号の場合には、Ｃ１２−Ｃ１５ビットの値が「１０００」となり、送信部１４４から照合部２４６までのデータ経路を生成するという情報が組み込まれる。
【００９１】
このように、様々なデータ経路を単独または組み合わせて生成し、試験データを送信することによって、光メディアコンバータ装置は、障害の発生状況や光メディアコンバータ装置の機能などに応じて多種の切り分け試験を実施することができ、主信号のデータ経路に与える影響を軽減することもできる。
【００９２】
なお、第１の実施形態および第２の実施形態の通信システムにおいて、センタ装置１００が試験制御応答送信部２４２および試験制御信号検出部２４３を含む構成にしてもよい。また、リモート装置２００が試験制御信号送信部１４２および試験制御応答検出部１４３を含む構成にしてもよい。さらに、試験制御部１４１が、リモート装置２００から送信された試験制御信号に応じて、センタ装置１００において切り分け試験に関する各種の動作を制御し、試験制御部２４１が、試験開始トリガに応じてリモート装置２００において切り分け試験に関する各種の動作を制御してもよい。このように構成された光メディアコンバータ装置を含む通信システムでは、例えば、リモート装置２００に試験開始トリガを送って切り分け試験を実施することもできる。
【００９３】
図１２は、本発明による光メディアコンバータ装置の主要部を示すブロック図である。図１２に示すように、光メディアコンバータ装置１（例えば、図２に示すセンタ装置１００に相当）は、光通信回線２（例えば、図２に示す光通信回線５００に相当）を介して他の光メディアコンバータ装置３（例えば、図２に示すリモート装置２００に相当）と通信を行う光メディアコンバータ装置であって、主信号経路（例えば、第１の実施形態における主信号ラインに相当）を切り替えて試験データを流すデータ経路を生成する信号切替部４（例えば、図２に示す信号切替部１４８，１４９，２４８，２４９に相当）と、機器とデータの送受信を行う機器側インタフェース部５（例えば、図２に示すＬＡＮ側インタフェース部１１０，２１０に相当）と、試験制御信号を送信する試験制御信号送信部６（例えば、図２に示す試験制御信号送信部１４２に相当）および試験制御応答を送信する試験制御応答送信部７（例えば、図２に示す試験制御応答送信部２４２に相当）と、試験データを送信する複数の送信部８（例えば、図２に示す送信部１４４，１４５，２４４，２４５に相当）と、受信した試験データの内容と送信した試験データの内容とを照合する複数の照合部９（例えば、図２に示す照合部１４６，１４７，２４６，２４７に相当）と、試験結果を出力する出力部１０（例えば、図２に示す試験制御部１４１に相当）とを備え、機器側インタフェース部５は、機器側インタフェース部５の内部に設けられた主信号経路を切り替えて試験データを流すデータ経路を生成し、試験制御応答送信部７は、他の光メディアコンバータ装置３の試験制御信号送信部６から送信された試験制御信号を受信すると試験制御応答を送信し、複数の送信部８は、試験制御信号または試験制御応答を受信すると、信号切替部４および機器側インタフェース部５に生成されたデータ経路に試験データを送信し、出力部１０は、複数の照合部９における照合結果と、他の光メディアコンバータ装置３の複数の照合部９における照合結果とを基に試験結果を出力するように構成されている。
【００９４】
また、上記の各実施形態では、以下の（１）〜（６）に示すような光メディアコンバータ装置も開示されている。
【００９５】
（１）信号切替部および機器側インタフェース部に生成されたデータ経路を保持する時間、および試験データを送信する時間を計時するタイマを含み、タイマの計時時間が満了した場合には出力部は試験結果を出力する（例えば、ステップＳ５７〜６１における処理、または、ステップＳ８６〜Ｓ９６における処理によって実現される。）光メディアコンバータ装置。このような光メディアコンバータ装置では、切り分け試験が正常に進行しない場合には、タイマの満了をもって異常終了を出力することができる。
【００９６】
（２）出力部は、複数の照合部における照合結果と、タイマの起動または計時時間の満了の有無とを出力する（例えば、ステップＳ４４における試験結果の出力で実現される。）光メディアコンバータ装置。
【００９７】
（３）試験制御信号および試験制御応答は、ＭＡＣフレームとは異なるフレーム長を有する（例えば、図８に示された試験制御信号および試験制御応答によって実現される。）光メディアコンバータ装置。このような光メディアコンバータ装置では、Ｌ２スイッチ１２０，２２０で試験制御応答および試験制御応答は破棄されるので、ＬＡＮ側インタフェース部１１０，２１０に接続される他の機器に、試験制御信号および試験制御応答が影響を与えずにすむ。
【００９８】
（４）試験制御信号は、１つ以上のデータ経路を特定する情報を含み（例えば、図１１に示された試験制御信号によって実現される。）、信号切替部および機器側インタフェース部は、試験制御信号を受信してからデータ経路を生成する場合には、データ経路を特定する情報に応じてデータ経路を生成する光メディアコンバータ装置。このような光メディアコンバータ装置では、切り分け試験を行う範囲を限定することができ、主信号経路に与える影響を軽減して切り分け試験を行うことができる。
【００９９】
（５）光通信回線を介して他の光メディアコンバータ装置と通信を行う光メディアコンバータ装置であって、主信号経路を切り替えて試験データを流すデータ経路を生成する信号切替部と、試験制御信号を送信する試験制御信号送信部および試験制御応答を送信する試験制御応答送信部と、試験データを送信する送信部と、受信した試験データの内容と送信した試験データの内容とを照合する照合部と、試験結果を出力する出力部とを備え、試験制御応答送信部は、他の光メディアコンバータ装置の試験制御信号送信部から送信された試験制御信号を受信すると試験制御応答を送信し、送信部は、試験制御信号または試験制御応答を受信すると信号切替部に生成されたデータ経路に試験データを送信し、出力部は、照合部における照合結果と、他の光メディアコンバータ装置の照合部における照合結果とを基に試験結果を出力する光メディアコンバータ装置。
【０１００】
（６）信号切替部は、主信号経路で片方向に主信号が通過できる状態を維持しながら（例えば、ステップＳ１０３およびＳ１０９における処理によって実現される。）、主信号経路を切り替えて試験データを流すデータ経路を生成する光メディアコンバータ装置（例えば、第２の実施形態における光メディアコンバータ装置によって実現される。）。このような光メディアコンバータ装置では、片方向の主信号の通信を止めることなく試験データを送信することができるので、主信号経路に対する影響を低減させた切り分け試験を実施することができる。
【産業上の利用可能性】
【０１０１】
本発明を、電気通信事業者などで使用される光メディアコンバータ装置に適用できる。
【符号の説明】
【０１０２】
１，３  光メディアコンバータ装置
２      光通信回線
４      信号切替部
５      機器側インタフェース部
６      試験制御信号送信部
７      試験制御応答送信部
８      送信部
９      照合部
１０    出力部
１００  センタ装置
１１０，２１０  ＬＡＮ側インタフェース部
１２０，２２０  Ｌ２スイッチ
１３０，２３０  ＷＡＮ側変換部
１４１，２４１  試験制御部
１４２  試験制御信号送信部
１４３  試験制御応答検出部
１４４，１４５，２４４，２４５  送信部
１４６，１４７，２４６，２４７  照合部
１４８，１４９，２４８，２４９  信号切替部
２００  リモート装置
２４２  試験制御応答送信部
２４３  試験制御信号検出部
５００  光通信回線
【図１】
2010252113.tif 000003
【図２】
2010252113.tif 000004
【図３】
2010252113.tif 000005
【図４】
2010252113.tif 000006
【図５】
2010252113.tif 000007
【図６】
2010252113.tif 000008
【図７】
2010252113.tif 000009
【図８】
2010252113.tif 000010
【図９】
2010252113.tif 000011
【図１０】
2010252113.tif 000012
【図１１】
2010252113.tif 000013
【図１２】
2010252113.tif 000014